【手続補正書】
【提出日】平成18年5月25日(2006.5.25)
【手続補正１】
【補正対象書類名】明細書
【補正対象項目名】発明の名称
【補正方法】変更
【補正の内容】
【発明の名称】移動体情報送信方法および装置並びにプログラム
【手続補正２】
【補正対象書類名】明細書
【補正対象項目名】特許請求の範囲
【補正方法】変更
【補正の内容】
【特許請求の範囲】
【請求項１】  移動体の位置を認識し、該認識した位置を示す位置情報を該認識した時刻を示す時刻情報と対応付けて順次蓄積し、該蓄積した位置情報群から前記移動体が所定の２点間を移動するのに要した時間を算出し、該算出した時間を特定しうる移動時間特定情報と前記所定の２点の位置を特定しうる移動位置特定情報とを対応付けた特定情報を生成し、前記位置情報群と前記特定情報との少なくとも一方を外部装置に送信することを特徴とする移動体情報送信方法。
【請求項２】  前記外部装置との通信経路の通信速度に応じて、前記位置情報群と前記特定情報とのいずれかを選択して、前記外部装置に送信することを特徴とする請求項１記載の移動体情報送信方法。
【請求項３】  前記外部装置からの要求に応じて、前記位置情報群と前記特定情報とのいずれかを選択して、前記外部装置に送信することを特徴とする請求項１記載の移動体情報送信方法。
【請求項４】  前記移動体の位置が前記外部装置から要求された範囲内にある場合に、前記位置情報群を前記外部装置に送信し、前記移動体の位置が前記外部装置から要求された範囲外にある場合に、前記特定情報を前記外部装置に送信することを特徴とする請求項１記載の移動体情報送信方法。
【請求項５】  前記位置情報群と前記特定情報とをまとめて前記外部装置に送信することを特徴とする請求項１記載の移動体情報送信方法。
【請求項６】  前記特定情報を前記外部装置に送信した後に、前記位置情報群を前記外部装置に送信することを特徴とする請求項１記載の移動体情報送信方法。
【請求項７】  自装置が搭載された移動体の位置を認識する認識手段と、
前記認識手段により認識された位置を示す位置情報を該位置を認識した時刻を示す時刻情報と対応付けて複数蓄積する蓄積手段と、
前記蓄積手段に蓄積された位置情報群から、所定の２点間を結ぶ移動位置を移動体が移動するのに要した時間を算出する算出手段と、
前記算出手段により算出された時間を特定しうる移動時間特定情報と前記所定の２点の位置を特定しうる移動位置特定情報とを対応付けた特定情報を生成する特定情報生成手段と、
前記蓄積手段に蓄積された位置情報群と前記特定情報生成手段により生成された特定情報との少なくとも一方を外部装置に送信する送信手段と
を具備することを特徴とする移動情報送信装置。
【請求項８】  前記送信手段は、
前記外部装置との通信経路の通信速度に応じて、前記位置情報群と前記特定情報とのいずれかを選択して、前記外部装置に送信することを特徴とする請求項７記載の移動体情報送信装置。
【請求項９】  前記外部装置からの要求を受信する受信手段をさらに具備し、
前記送信手段は、前記受信手段が受信した要求に応じて、前記位置情報群と前記特定情報とのいずれかを選択して、前記外部装置に送信する
ことを特徴とする請求項７記載の移動体情報送信装置。
【請求項１０】  前記外部装置からの要求を受信する受信手段をさらに具備し、
前記送信手段は、前記受信手段が受信した要求に基づいて、前記移動体の位置が前記外部装置から要求された範囲内にある場合に、前記位置情報群を前記外部装置に送信し、前記移動体の位置が前記外部装置から要求された範囲外にある場合に、前記特定情報を前記外部装置に送信する
ことを特徴とする請求項７記載の移動体情報送信装置。
【請求項１１】  前記送信手段は、
前記位置情報群と前記特定情報とをまとめて前記外部装置に送信することを特徴とする請求項７記載の移動体情報送信装置。
【請求項１２】  前記送信手段は、
前記特定情報を前記外部装置に送信した後に、前記位置情報群を前記外部装置に送信することを特徴とする請求項７記載の移動体情報送信装置。
【請求項１３】  移動体の位置を認識する認識処理と、
前記認識処理により認識された位置を示す位置情報を該位置を認識した時刻を示す時刻情報と対応付けて複数蓄積する蓄積処理と、
前記蓄積処理で蓄積された位置情報群から、所定の２点間を結ぶ移動位置を移動体が移動するのに要した時間を算出する算出処理と、
前記算出処理により算出された時間を特定しうる移動時間特定情報と前記所定の２点の位置を特定しうる移動位置特定情報とを対応付けた特定情報を生成する特定情報生成処理と、
前記蓄積処理で蓄積された位置情報群と前記特定情報生成処理により生成された特定情報との少なくとも一方を外部装置に送信する送信処理と
をコンピュータに実行させることを特徴とする移動情報送信プログラム。
【請求項１４】  前記送信処理は、
前記外部装置との通信経路の通信速度に応じて、前記位置情報群と前記特定情報とのいずれかを選択して、前記外部装置に送信することを特徴とする請求項１３記載の移動体情報送信プログラム。
【請求項１５】  前記外部装置からの要求を受信する受信処理をさらにコンピュータに実行させ、
前記送信処理は、前記受信処理で受信した要求に応じて、前記位置情報群と前記特定情報とのいずれかを選択して、前記外部装置に送信する
ことを特徴とする請求項１３記載の移動体情報送信プログラム。
【請求項１６】  前記外部装置からの要求を受信する受信処理をさらにコンピュータに実行させ、
前記送信処理は、前記受信処理で受信した要求に基づいて、前記移動体の位置が前記外部装置から要求された範囲内にある場合に、前記位置情報群を前記外部装置に送信し、前記移動体の位置が前記外部装置から要求された範囲外にある場合に、前記特定情報を前記外部装置に送信する
ことを特徴とする請求項１３記載の移動体情報送信プログラム。
【請求項１７】  前記送信処理は、
前記位置情報群と前記特定情報とをまとめて前記外部装置に送信することを特徴とする請求項１３記載の移動体情報送信プログラム。
【請求項１８】  前記送信処理は、
前記特定情報を前記外部装置に送信した後に、前記位置情報群を前記外部装置に送信することを特徴とする請求項１３記載の移動体情報送信プログラム。
【手続補正３】
【補正対象書類名】明細書
【補正対象項目名】０００１
【補正方法】変更
【補正の内容】
【０００１】
【発明の属する技術分野】
この発明は、移動体情報送信方法および装置並びにプログラムに関し、特に、移動体の移動位置や移動時間等の移動情報を効率よく送信する移動体情報送信方法および装置並びにプログラムに関する。
【手続補正４】
【補正対象書類名】明細書
【補正対象項目名】０００８
【補正方法】変更
【補正の内容】
【０００８】
そこで、この発明は、車両等の移動体から、その位置情報等の移動体情報を状況に応じた適切な方法で送信することのできる移動体情報送信方法および装置並びにプログラムを提供することを目的とする。
【手続補正５】
【補正対象書類名】明細書
【補正対象項目名】００１３
【補正方法】変更
【補正の内容】
【００１３】
また、請求項５の発明は、請求項１の発明において、前記位置情報群と前記特定情報とをまとめて前記外部装置に送信することを特徴とする。
【手続補正６】
【補正対象書類名】明細書
【補正対象項目名】００１９
【補正方法】変更
【補正の内容】
【００１９】
また、請求項１１の発明は、請求項７の発明において、前記送信手段は、前記位置情報群と前記特定情報とをまとめて前記外部装置に送信することを特徴とする。
また、請求項１２の発明は、請求項７の発明において、前記送信手段は、前記特定情報を前記外部装置に送信した後に、前記位置情報群を前記外部装置に送信することを特徴とする。
【手続補正７】
【補正対象書類名】明細書
【補正対象項目名】００２０
【補正方法】変更
【補正の内容】
【００２０】
また、請求項１３の発明は、移動体の位置を認識する認識処理と、前記認識処理により認識された位置を示す位置情報を該位置を認識した時刻を示す時刻情報と対応付けて複数蓄積する蓄積処理と、前記蓄積処理で蓄積された位置情報群から、所定の２点間を結ぶ移動位置を移動体が移動するのに要した時間を算出する算出処理と、前記算出処理により算出された時間を特定しうる移動時間特定情報と前記所定の２点の位置を特定しうる移動位置特定情報とを対応付けた特定情報を生成する特定情報生成処理と、前記蓄積処理で蓄積された位置情報群と前記特定情報生成処理により生成された特定情報との少なくとも一方を外部装置に送信する送信処理とをコンピュータに実行させることを特徴とする。
また、請求項１４の発明は、請求項１３の発明において、前記送信処理は、前記外部装置との通信経路の通信速度に応じて、前記位置情報群と前記特定情報とのいずれかを選択して、前記外部装置に送信することを特徴とする。
また、請求項１５の発明は、請求項１３の発明において、前記外部装置からの要求を受信する受信処理をさらにコンピュータに実行させ、前記送信処理は、前記受信処理で受信した要求に応じて、前記位置情報群と前記特定情報とのいずれかを選択して、前記外部装置に送信することを特徴とする。
また、請求項１６の発明は、請求項１３の発明において、前記外部装置からの要求を受信する受信処理をさらにコンピュータに実行させ、前記送信処理は、前記受信処理で受信した要求に基づいて、前記移動体の位置が前記外部装置から要求された範囲内にある場合に、前記位置情報群を前記外部装置に送信し、前記移動体の位置が前記外部装置から要求された範囲外にある場合に、前記特定情報を前記外部装置に送信することを特徴とする。
また、請求項１７の発明は、請求項１３の発明において、前記送信処理は、前記位置情報群と前記特定情報とをまとめて前記外部装置に送信することを特徴とする。
また、請求項１８の発明は、請求項１３の発明において、前記送信処理は、前記特定情報を前記外部装置に送信した後に、前記位置情報群を前記外部装置に送信することを特徴とする。
【手続補正８】
【補正対象書類名】明細書
【補正対象項目名】００２１
【補正方法】変更
【補正の内容】
【００２１】
【発明の実施の形態】
以下、この発明に係る移動体情報送信方法および装置並びにプログラムの一実施の形態について、添付図面を参照して、詳細に説明する。